(57)【要約】【課題】自動除塵機の運転回数は変えることなく、後段の関連装置の運転回数を低減することにより省エネルギーを図るようにした除塵設備を提供すること。【解決手段】し渣を捕捉して水中から掻き揚げる自動除塵機１と、自動除塵機１が掻き揚げたし渣Ｓを搬送するベルトコンベア２とを備えた除塵設備において、自動除塵機１のシュート部１５に、掻き揚げたし渣Ｓを一時的に貯留するホッパ３を設ける。【選択図】図１
2008280804.tif 000002
【特許請求の範囲】
【請求項１】
し渣を捕捉して水中から掻き揚げる自動除塵機と、自動除塵機が掻き揚げたし渣を搬送する搬送装置とを備えた除塵設備において、自動除塵機のシュート部に、掻き揚げたし渣を一時的に貯留するホッパを設けたことを特徴とする除塵設備。
【請求項２】
ホッパが、貯留したし渣の重量又は高さを検知し、かつ所定量に達したときに開いて搬送装置にし渣を投入する自動投入手段を備えたことを特徴とする請求項１記載の除塵設備。
【発明の詳細な説明】
【技術分野】
【０００１】
本発明は、下水処理場等の除塵設備に関し、特に、自動除塵機の運転回数は変えることなく、後段の関連装置の運転回数を低減することにより省エネルギーを図るようにした除塵設備に関するものである。
【背景技術】
【０００２】
下水処理場やポンプ場の沈砂池において、し渣を除去する除塵設備は、図３〜図４に示すように、例えば、し渣Ｓを捕捉して水中から掻き揚げる自動除塵機１と、掻き揚げたし渣Ｓを搬送するベルトコンベア２と、搬送したし渣Ｓを洗浄する洗浄機と、洗浄したし渣Ｓを脱水するし渣脱水機と、脱水したし渣Ｓを貯留するし渣ホッパとを備えている。
【０００３】
自動除塵機１は、水路を遮るように水面に対して斜めに配設された所要目幅のバースクリーン１１と、このバースクリーン１１に沿ってチェーン１２を駆動し、バースクリーン１１にて捕捉されたし渣Ｓをレーキ１３で掻き揚げて除去するレーキ装置１４とを備えている。
自動除塵機１により掻き揚げられたし渣Ｓは、シュート部１５を介してベルトコンベア２に随時供給される。
【０００４】
下水処理場などでは、これらの装置の運転は自動で行われており、自動除塵機が運転すると後段の搬送・洗浄設備等、関連装置がすべて運転する。
自動除塵機の運転時期としては、タイマーによる一定間隔、ポンプの運転に連動、又はスクリーン前後の水位差が一定量に達したときなどが挙げられる。
ただ、いずれの場合にも、晴天時の下水中のし渣量はわずかであるため、自動除塵機が掻き揚げるし渣量も少なく、搬送、洗浄、脱水等の関連装置は、本来有するし渣処理能力に対して低い負荷で運転を行っている。
【０００５】
このようなことから、し渣除去に関する装置の消費電力は、本来の対象物であるし渣による負荷はわずかで、装置自身の自重や摩擦抵抗によるものがほとんどであり、エネルギーが無駄になっている。
そこで、省エネルギーの手段として、自動除塵機の運転回数を減らす方法が考えられるが、自動除塵機の運転回数を減らし、運転間隔を長くすると、スクリーンの目詰まりが生じ、スクリーン前後の水位差が大きくなる。このため、自動除塵機の運転回数を減らすことは困難である。
【発明の開示】
【発明が解決しようとする課題】
【０００６】
本発明は、上記従来の除塵設備が有する問題点に鑑み、自動除塵機の運転回数は変えることなく、後段の関連装置の運転回数を低減することにより省エネルギーを図るようにした除塵設備を提供することを目的とする。
【課題を解決するための手段】
【０００７】
上記目的を達成するため、本発明の除塵設備は、し渣を捕捉して水中から掻き揚げる自動除塵機と、自動除塵機が掻き揚げたし渣を搬送する搬送装置とを備えた除塵設備において、自動除塵機のシュート部に、掻き揚げたし渣を一時的に貯留するホッパを設けたことを特徴とする。
【０００８】
この場合において、ホッパが、貯留したし渣の重量又は高さを検知し、かつ所定量に達したときに開いて搬送装置にし渣を投入する自動投入手段を備えることができる。
【発明の効果】
【０００９】
本発明の除塵設備によれば、し渣を捕捉して水中から掻き揚げる自動除塵機と、自動除塵機が掻き揚げたし渣を搬送する搬送装置とを備えた除塵設備において、自動除塵機のシュート部に、掻き揚げたし渣を一時的に貯留するホッパを設けることから、自動除塵機の運転中でもホッパにし渣が所定量溜まるまでは、搬送、洗浄、脱水等の関連装置を停止しておき、し渣が所定量に達した時点でホッパを開いて搬送装置に投入し、搬送、洗浄、脱水等の関連装置を運転することができ、これにより、関連装置の運転回数を少なくし、スクリーン水位差を大きくすることなく、除塵設備の省エネルギーと後段の関連装置の長寿命化を図ることができる。
【００１０】
この場合、ホッパが、貯留したし渣の重量又は高さを検知し、かつ所定量に達したときに開いて搬送装置にし渣を投入する自動投入手段を備えることにより、ホッパの開閉を自動で行うことができ、搬送、洗浄、脱水等の関連装置をこのホッパの開閉に連動させることにより、これら関連装置の運転を自動的に制御することができる。
【発明を実施するための最良の形態】
【００１１】
以下、本発明の除塵設備の実施の形態を、図面に基づいて説明する。
【実施例１】
【００１２】
図１〜図２に、本発明の除塵設備の一実施例を示す。
この除塵設備は、し渣を捕捉して水中から掻き揚げる自動除塵機１と、自動除塵機１が掻き揚げたし渣Ｓを搬送するベルトコンベア２と、搬送したし渣Ｓを洗浄する洗浄機（図示省略）と、洗浄したし渣Ｓを脱水する脱水機（図示省略）とを備えている。
そして、この除塵設備は、自動除塵機１のシュート部１５に、掻き揚げたし渣Ｓを一時的に貯留するホッパ３を設けている。
【００１３】
自動除塵機１は、水路を遮るようにして、かつ水面に対して予め定めた角度にて配設された所要目幅のバースクリーン１１と、このバースクリーン１１に沿ってチェーン１２を駆動し、バースクリーン１１にて捕捉されたし渣Ｓをレーキ１３で掻き揚げて除去するレーキ装置１４とを備えている。
なお、自動除塵機１は上記構成に限定するものではなく、例えば、スクリーンを可動式にして除塵するような構成も採用しうる。
また、本実施例では、ベルトコンベア２を搬送装置として使用しているが、例えば、スクリューコンベア等も採用することができる。
【００１４】
ホッパ３は、レベルセンサ３１や荷重計（図示省略）により貯留したし渣Ｓの高さや重量を検知し、かつ所定量に達したときに底部を開いてベルトコンベア２にし渣Ｓを投入する自動投入手段を備えており、ホッパ３の開閉を電動シリンダ３２により自動で行うことができる。
ベルトコンベア２や洗浄機、脱水機等の関連装置は、このホッパ３の自動投入手段と連動しており、ホッパ３が閉じている間は停止し、ホッパ３が開くときに自動的に運転を開始する。
これにより、自動除塵機１の運転回数は変えずに、関連装置の運転回数を低減して省エネルギーを図る。
【００１５】
次に、本実施例の除塵設備の作用を説明する。
自動除塵機１が掻き揚げたし渣Ｓを、自動除塵機１のシュート部１５に設けたホッパ３に一時的に貯留し、ホッパ３内の貯留量が所定の量となったことを検知したときに、ホッパ３を開けて貯留していたし渣Ｓをベルトコンベア２に投入する。
【００１６】
この場合、ホッパ３が貯留するし渣Ｓの量を、洗浄機や脱水機等の関連装置のし渣処理能力と等しくすることにより、適正な負荷での運転を行うことができる。
また、ホッパ３に貯まるし渣Ｓの量は、レベルセンサ３１による高さ検出や、荷重計による重量検出で行うことができる。
そして、ホッパ３を開けると同時に、ベルトコンベア２や洗浄機、脱水機等の関連装置を運転するようにする。
【００１７】
かくして、本実施例の除塵設備によれば、し渣Ｓを捕捉して水中から掻き揚げる自動除塵機１と、自動除塵機１が掻き揚げたし渣Ｓを搬送するベルトコンベア２とを備えた除塵設備において、自動除塵機１のシュート部１５に、掻き揚げたし渣Ｓを一時的に貯留するホッパ３を設けることから、自動除塵機１の運転中でもホッパ３にし渣Ｓが所定量溜まるまでは、搬送、洗浄、脱水等の関連装置を停止しておき、し渣Ｓが所定量に達した時点でホッパ３を開いてベルトコンベア２に投入し、搬送、洗浄、脱水等の関連装置を運転することができ、これにより、関連装置の運転回数を少なくし、スクリーン水位差を大きくすることなく、除塵設備の省エネルギーと後段の関連装置の長寿命化を図ることができる。
【００１８】
この場合、ホッパ３が、貯留したし渣Ｓの重量又は高さを検知し、かつ所定量に達したときに開いてベルトコンベア２にし渣Ｓを投入する自動投入手段を備えることにより、ホッパ３の開閉を自動で行うことができ、搬送、洗浄、脱水等の関連装置をこのホッパ３の開閉に連動させることにより、これら関連装置の運転を自動的に制御することができる。
【００１９】
以上、本発明の除塵設備について、その実施例に基づいて説明したが、本発明は上記実施例に記載した構成に限定されるものではなく、その趣旨を逸脱しない範囲において適宜その構成を変更することができる。
【産業上の利用可能性】
【００２０】
本発明の除塵設備は、自動除塵機の運転回数は変えることなく、搬送装置や洗浄機、脱水機等の関連装置の運転回数を低減するという特性を有していることから、省エネルギーや関連装置の長寿命化を図る除塵設備の用途に広く好適に用いることができる。
【図面の簡単な説明】
【００２１】
【図１】本発明の除塵設備の一実施例を示す断面図である。
【図２】同除塵設備のホッパを開いた状態を示す断面図である。
【図３】し渣の除塵設備の一例を示すフロー図である。
【図４】従来の除塵設備を示す断面図である。
【符号の説明】
【００２２】
１    自動除塵機
１１  バースクリーン
１２  チェーン
１３  レーキ
１４  レーキ装置
１５  シュート部
２    ベルトコンベア
３    ホッパ
３１  レベルセンサ
３２  電動シリンダ
【図１】
2008280804.tif 000003
【図２】
2008280804.tif 000004
【図３】
2008280804.tif 000005
【図４】
2008280804.tif 000006